(57)【要約】【課題】無端ベルトを用いて、補助的な遊技演出を行ない得る小型化が可能な遊技機用のベルト式図柄表示装置を提供する。【解決手段】各種図柄を表示するベルト式図柄表示装置は、収容ケース２１に駆動プーリ３１が回転可能に配設されると共に、該駆動プーリ３１から所要距離離間する位置に、従動プーリ３３が回転可能に配設されている。また、前記駆動プーリ３１および従動プーリ３３の外周には、図柄ベルト３７が展張状態で巻装される。そして、前記駆動プーリ３１の回転および停止を行なう駆動モータ３５を、前記収容ケース２１に前記図柄ベルト３７の周回領域より外方に位置させて設けるよう構成した。【選択図】　図１
2004033633.tif 000002
【特許請求の範囲】
【請求項１】
基体に回転可能に配設した駆動回転体と、
前記基体に回転可能に配設されて、前記駆動回転体から所要距離離間する従動回転体と、
前記駆動回転体および従動回転体の外周に展張状態で巻装され、各種図柄を表示する無端ベルトとを備える遊技機用のベルト式図柄表示装置において、
前記駆動回転体の回転および停止を行なう駆動モータを、前記無端ベルトの周回領域より外方に位置させて前記基体に設けるよう構成した
ことを特徴とする遊技機用のベルト式図柄表示装置。
【請求項２】
前記駆動回転体と従動回転体との間に、前記無端ベルトを内側から照明する照明装置が配設され、この照明装置は、無端ベルトの裏面に対して略平行に対向する反射面を備える薄板状のリフレクタ部材と、当該無端ベルトと反射面との間に配設される発光体とから構成される請求項１記載の遊技機用のベルト式図柄表示装置。
【請求項３】
前記駆動回転体の外周面に、該駆動回転体の周方向に所要間隔離間して複数の突出部を形成すると共に、前記無端ベルトにおける前記突出部と対応する位置に、該無端ベルトの全周に亘って所要間隔毎に複数の係合孔を形成して、前記駆動回転体を回転させた際に、前記突出部と前記係合孔とが順次係合・分離するよう構成した請求項１または２記載の遊技機用のベルト式図柄表示装置。
【発明の詳細な説明】
【０００１】
【発明の属する技術分野】
この発明は、遊技機用のベルト式図柄表示装置に関し、更に詳細には、駆動モータにより回転制御される駆動回転体と、この駆動回転体から所要距離離間する従動回転体との間に、表面に文字や図形等の各種図柄を設けた無端ベルトを巻装した遊技機用のベルト式図柄表示装置に関するものである。
【０００２】
【従来の技術】
パチンコ機やスロットマシンに代表されるこの種の遊技機においては、図柄組合わせゲームを行なう主表示装置として、回転ドラム式図柄表示装置や回転ベルト式図柄表示装置等を採用したものが知られている。この主表示装置は、前記遊技機において遊技者が最も注目する遊技部品であるため、回転ドラムや回転ベルトに多数の大きな図柄を表示して、多彩な遊技演出を行ない得るようになっている。例えば、前記ベルト式図柄表示装置の概略構成としては、図７に示すように、所要間隔離間して配設した円筒状の駆動プーリ５４と従動プーリ５５との外周に、図柄を表示した無端ベルト５８を巻装して、該駆動プーリ５４を駆動モータ５３で駆動することにより該無端ベルト５８を周回移動させるよう構成してある。
【０００３】
ここで、前記無端ベルト５８には、多彩な遊技演出を行ない得るよう多数の大きな図柄が表示されるので、該無端ベルト５８の周長および幅は必然的に長くなると共に、その周回領域も広くなっている。また、前記駆動プーリ５４として、大型（大径）のものを用い、該駆動プーリ５４と無端ベルト５８との接触面積を大きくすることで両部材５４，５８間に作用する摩擦力を大きくして、周長および幅の長い無端ベルト５８を確実に周回移動させるよう構成してある。そして、前記大径の駆動プーリ５４における内部空間に、前記駆動モータ５３を配設している。更に、前記無端ベルト５８の周回領域内には、該無端ベルト５８を内側から照明する複数の発光体６１と、該発光体６１からの光を反射する鉢形状のリフレクタ部材６０とが配設されて、該無端ベルト５８に表示した各図柄の全体を効率的に照明するよう構成されている。
【０００４】
【発明が解決しようとする課題】
ところで、前記遊技機では、メインの図柄組合わせゲ−ムを行なう前記主表示装置とは別に、補助的な演出を行なう補助表示装置を配設し、より多彩な遊技演出を行なわせる提案がなされている、そして、その補助表示装置としては、前記ベルト式図柄表示装置を採用することが考えられる。ここで、前記補助表示装置は、あくまでも補助的な遊技演出を行なうものであるため、ベルト式表示装置を採用する場合は、無端ベルト５８に少数の図柄を表示したものが求められる。しかしながら、ベルト式図柄表示装置は、前述したように、駆動モータ５３等を無端ベルト５８の周回領域内に配設すると共に、周長の長い無端ベルト５８に多数の図柄を表示して、主表示装置としての使用を前提として構成されており、該無端ベルト５８に少数の図柄を表示した補助表示装置として使用する構成に関しての技術的な思想はなかった。また前記遊技機の遊技盤には、各種入賞装置や入賞球用の案内樋等の多数の部材が配置されると共に、主表示装置としての大型の遊技部品も配設されているので、該遊技盤内に大型の補助表示装置を配設するスペース的な余裕があるとは言い難く、ベルト式を採用した補助表示装置の小型化が求められている。
【０００５】
【発明の目的】
本発明は、前述した従来の技術に内在している前記課題に鑑み、これを好適に解決するべく提案されたものであって、無端ベルトを用いて、補助的な遊技演出を行ない得る小型化が可能な遊技機用のベルト式図柄表示装置を提供することを目的とする。
【０００６】
【課題を解決するための手段】
前記課題を克服し、所期の目的を好適に達成するため、本発明に係る遊技機用のベルト式図柄表示装置は、
基体（２１）に回転可能に配設した駆動回転体（３１）と、
前記基体（２１）に回転可能に配設されて、前記駆動回転体（３１）から所要距離離間する従動回転体（３３）と、
前記駆動回転体（３１）および従動回転体（３３）の外周に展張状態で巻装され、各種図柄を表示する無端ベルト（３７）とを備える遊技機用のベルト式図柄表示装置において、
前記駆動回転体（３１）の回転および停止を行なう駆動モータ（３５）を、前記無端ベルト（３７）の周回領域より外方に位置させて前記基体（２１）に設けるよう構成したことを特徴とする。
【０００７】
また、前記駆動回転体（３１）と従動回転体（３３）との間に、前記無端ベルト（３７）を内側から照明する照明装置（４１）が配設され、この照明装置（４１）は、無端ベルト（３７）の裏面に対して略平行に対向する反射面を備える薄板状のリフレクタ部材（４３）と、当該無端ベルト（３７）と反射面（４３ａ）との間に配設される発光体（４２）とから構成される。
【０００８】
更に、前記駆動回転体（３１）の外周面に、該駆動回転体（３１）の周方向に所要間隔離間して複数の突出部（３１ｃ）を形成すると共に、前記無端ベルト（３７）における前記突出部（３１ｃ）と対応する位置に、該無端ベルト（３７）の全周に亘って所要間隔毎に複数の係合孔（３７ａ）を形成して、前記駆動回転体（３１）を回転させた際に、前記突出部（３１ｃ）と前記係合孔（３７ａ）とが順次係合・分離するよう構成することもできる。
【０００９】
【作用】
本発明は、基体に回転可能に配設した駆動回転体および従動回転体の外周に巻装した無端ベルトの周回領域より外方に位置するように、該駆動回転体の回転および停止を行なう駆動モータを基体に配設するようにしたので、該無端ベルトの周回領域を小さくすると共に周長を短くすることができる。すなわち、無端ベルトを用いた図柄表示装置の小型化を図り、無端ベルトに少数の図柄を表示した該装置を補助的な遊技演出に好適に使用することが可能となる。また、無端ベルトの内側から照明する照明装置を、該無端ベルトの裏面に対して略平行に対向する反射面を備える薄板状のリフレクタ部材と、無端ベルトと反射面との間に配設される発光体とから構成することで、該照明装置が前後方向に大きくなることはない。従って、前記無端ベルトの周回領域を小さくして周長をより短くできるので、該無端ベルトに少数の図柄を表示する補助的な遊技演出に好適に使用することが可能となる。また、駆動回転体に設けた複数の突出部と、前記無端ベルトに設けた複数の係合孔を順次係合・分離させることにより、小径の駆動回転体を使用した場合でも該無端ベルトを確実に周回移動させ得る。
【００１０】
【発明の実施の形態】
次に、本発明に係る遊技機用のベルト式図柄表示装置につき、好適な実施例を挙げて添付図面を参照しながら、以下詳細に説明する。本実施例では、遊技機としてパチンコ球を遊技媒体として使用するパチンコ機に、ベルト式図柄表示装置を補助的な遊技演出装置として使用する場合について例示する。
【００１１】
（パチンコ機について）
図柄組合わせゲームを行なう主表示装置として液晶式図柄表示装置を採用した実施例に係るパチンコ機の概略構成について、図２を参照して説明する。本実施例のパチンコ機Ｐは、その基本的な概略構成として、外枠Ａの開口前面側に対して前枠Ｂが、連結支持手段および施錠手段を利用して着脱および開放可能に組付けられている。そして、前枠Ｂに横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置（図示せず）と、下段に位置する下球皿Ｆおよび打球発射装置Ｈと、後側に位置する機構セット盤（図示せず）等が夫々装備されている一方、前枠Ｂ後側に所要の遊技領域Ｉを構成した遊技盤Ｊが着脱交換可能にセットされる。なお、以下の説明において前，後および左，右とは、図２に示すように遊技盤Ｊを前側から見た場合において指称するものとする。
【００１２】
（遊技盤について）
前記遊技盤Ｊは、図２に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置されて主たる図柄組合わせゲーム用の遊技装置として機能する図柄表示装置Ｋと、風車とも称されて遊技球の流下方向を任意に変向する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、セーフ球を機構セット盤側に通出案内させる図示しないセーフ球案内部材が装着されている。そして、このセーフ球案内部材には、該案内部材に開設した第１透視窓部１５ａの後側に合わせて図柄表示装置Ｋが装備セットされる。なお、符号１６はアウト口を示す。また、前記図柄表示装置Ｋとしては、液晶式に限らずドラム式やベルト式等の従来公知の各種装置を採用し得る。
【００１３】
前記始動入賞具１１内に配設された図示しないスイッチは、各セーフ球の検出毎に図柄表示装置Ｋを１回ずつ作動スタートさせるための始動入力手段として利用される。また前記入賞装置Ｌは、図柄表示装置Ｋの大当り成立時に対する特別遊技状態として、開成作動条件が付与される大型の入賞装置であって、図２に示されるように、特別入賞具１７に対設された扉状の開閉板１８が、後側の電磁ソレノイドに係る設定駆動条件に基づいて、通常の閉鎖状態から開放状態に変化されるようになっている。そして、特別入賞具１７の後側内部にセーフ球用のカウントスイッチと、開放作動継続用の特別スイッチ（Ｖスイッチ）が組込まれている（何れも図示せず）。なお、入賞装置Ｌの左右両側に普通入賞具１９，１９が設けられる。
【００１４】
（ベルト式図柄表示装置について）
前記パチンコ機Ｐに配設されて補助的な演出を行なう実施例のベルト式図柄表示装置（補助表示装置）２０は、図１または図３に示すように、略矩形の収容ケース（基体）２１に回転可能に配設される駆動プーリ（駆動回転体）３１および従動プーリ（従動回転体）３３と、該駆動プーリ３１の回転および停止を行なう駆動モータ３５と、駆動プーリ３１および従動プーリ３３の外周に展張状態で巻装され、表面に文字や図柄等の各種図柄を表示した図柄ベルト（無端ベルト）３７と、該図柄ベルト３７に表示した図柄の位置検出を行なう位置検出手段４８，４８と、当該図柄ベルト３７を内側から照明する照明装置４１とを備えている。なお、前記収容ケース２１は、上下に着脱可能に分離する下ケース体２２および上ケース体２７とから箱状に形成されて、上下のケース体２２，２７を連結した状態で前側に開口する開口部２１ａを形成してある（図４参照）。また、前記図柄表示装置Ｋの上方位置に開口する第２透視窓部１５ｂの後側に、前記収容ケース２１の開口部２１ａが整合するよう構成され、該開口部２１ａおよび第２透視窓部１５ｂを介して、前記図柄ベルト３７の図柄を外部に表示するよう構成されている。
【００１５】
（収容ケースについて）
図３に示すように、前記下ケース体２２の底面板２２ａにおける左右の前側隅部近傍には、上方に向かって第１下ボス部２３，２３が夫々突設されている。また、前記各第１下ボス部２３の上端部には、第１下支持孔２３ａが夫々穿設されており、各第１下支持孔２３ａに、前記駆動プーリ３１および従動プーリ３３を回転可能に支持する回転支軸２８を挿入するようになっている。なお、実施例では、右側に位置する前記第１下ボス部２３に駆動プーリ３１が回動可能に支持されると共に、左側に位置する第１下ボス部２３に従動プーリ３３が回動可能に支持される。更に、前記下ケース体２２における底面板２２ａの略中央部には、テンションプーリ４５を配設するアーム４５ａ（何れも後述）を支持する第２下ボス部２４が突設されて、その上端部には第２下支持孔２４ａが穿設されている。そして、この第２下支持孔２４ａに、前記テンションプーリ４５を回動可能に支持する揺動支軸２９を挿入するようになっている。更にまた、前記底面板２２ａの右後側隅部近傍には、前記駆動モータ３５を支持固定する複数の突起部２５を形成してある。
【００１６】
前記両第１下ボス部２３，２３の間において、前記第２下ボス部２４を挟む両側に、一対の台部２６ａ，２６ａが上方に向けて突設されると共に、各台部２６ａには、その上端面の略中央部から上方に向けて、当該台部２６ａより小径の突部２６ｂが夫々突設される。また、前記下ケース体２２における後端縁の右側位置は、上方に向かって立上がり部２２ｂが形成され、該立上がり部２２ｂの左端部から前側に向かって延出する部位に切欠部２２ｃが形成される。更に、前記底面板２２ａの左後隅部近傍には突出片２２ｄが形成してあり、該突出片２２ｄ、前記台部２６ａ，２６ａおよび切欠部２２ｃの夫々の上端面は同一面上に位置するよう設定されている。
【００１７】
図５に示すように、前記下ケース体２２内には、前記照明装置４１および位置検出手段４８等の配設固定部材として機能する略矩形の基板４０が配設されている。この基板４０の大きさは、前記下ケース体２２の底面板２２ａに配設する駆動プーリ３１、従動プーリ３３および駆動モータ３５と干渉しないよう設定してある。また、図３に示すように、前記基板４０には、前記第２下ボス部２４および一対の突部２６ｂ，２６ｂと対応する位置に夫々通孔４０ａ，４０ａ，４０ａが穿設されており、各通孔４０ａに対応的に第２下ボス部２４および各突部２６ｂを夫々挿通することで、該基板４０の位置決めがなされる。そして、前記基板４０の底面が、前記各台部２６ａ、切欠部２２ｃおよび突出片２２ｄの上端面に当接することにより、該基板４０は前記下ケース体２２の底面板２２ａから所要間隔離間して、基板４０の底面から下側に突出する配線等が、該底面板２２ａに圧接しないよう構成される。また前記基板４０には、前記第２下ボス部２４を挿通する通孔４０ａに近接する位置に、略扇状の挿通孔４０ｂが穿設されており、前記テンションプーリ４５の後述する規制片４５ｂを挿通するようになっている。
【００１８】
前記上ケース体２７の上面板２７ａには、前記下ケース体２２と連結した際に、前記第１および第２下ボス部２３，２４と夫々対応する位置に、第１上ボス部２７ｂ（図１または図３において１つのみ図示してある）および第２上ボス部（図示せず）が下方向に向かって形成されると共に、各ボス部の下端面には前記回転支軸２８を挿入可能な第１上支持孔（図示せず）および揺動支軸２９を挿入可能な第２上支持孔（図示せず）が夫々穿設してある。すなわち、前記各回転支軸２８は、前記下ケース体２２の第１下ボス部２３および上ケース体２７の第１上ボス部２７ｂにより夫々位置決め固定され、前記揺動支軸２９は、該下ケース体２２の第２下ボス部２４および上ケース体２７の第２上ボス部により位置決め固定される。
【００１９】
また、図６に示すように、前記収容ケース２１の後側は、前記上ケース体２７の後面板２７ｃにより覆蓋されている。なお、前記上ケース体２７の後面板２７ｃにおける左側部位２７ｄ（図６においては右側）は、前側に向かって所要量だけ退避した段状に形成されており、該後面板２７ｃの右側部位２７ｅが前記下ケース体２２の立上がり部２２ｂに当接している。一方、前記後面板２７ｃの左側部位２７ｄは、前記下ケース体２２の底面板２２ａから離間位置して、該後面板２７ｃにおける左側部位２７ｄの下方から前記基板４０の一部が後方に突出するようになっている。すなわち、図６に示すように、前記上ケース体２７の後面板２７ｃと、前記切欠部２２ｃと、突出片２２ｄとにより、スリット状の挿通孔３０が形成されて、該挿通孔３０を介して前記基板４０の一部が前記収容ケース２１の外方に突出している。そして、この基板４０における前記収容ケース２１から突出する部位には、前記ベルト式図柄表示装置２０の制御を行なう制御装置（図示せず）と接続するコネクタ部４０ｃを設けてある。なお、前記コネクタ部４０ｃは、前記上ケース体２２における後面板の左側部位２７ｄに近接する位置に設けられており、前記下ケース体２２より後方に突出しないよう設定されている（図５参照）。
【００２０】
（駆動プーリについて）
前記駆動プーリ３１は、図１または図３に示すように前記図柄ベルト３７を巻装し得る胴長の円筒状に形成されると共に、該駆動プーリ３１には、その軸中心を貫通する軸孔３１ａが穿設される（図５参照）。そして、右側に位置する前記第１下ボス部２３の第１下支持孔２３ａに前記回転支軸２８を挿入した状態で、前記駆動プーリ３１の軸孔３１ａに該回転支軸２８を挿通させることで、駆動プーリ３１が回転可能に支持されるようになっている。
【００２１】
また、前記駆動プーリ３１の上下の端縁には、外方に向かって延出するフランジ部３１ｂが夫々形成されて、該駆動プーリ３１の外周面に巻装する前記図柄ベルト３７の上下方向への移動を防止している。更に、駆動プーリ３１の外周面における上側のフランジ部３１ｂの近傍に、周方向に所定間隔離間して複数の突出部３１ｃが突設してあると共に、該駆動プーリ３１の下端面側には所要の歯数に設定した第１歯車３２が一体的に形成してある。なお、前記駆動プーリ３１の上下両端部は、その上下の端面から内側に向かって前記第１下ボス部２３または第１上ボス部２７ｂを収容し得る長さで凹設されており、該駆動プーリ３１を前記回転支軸２８で支持した際に、前記第１歯車３２が前記底面板２２ａに近接すると共に、上端面が前記上ケース体２７の上面板２７ａに近接するよう構成されている。
【００２２】
（従動プーリについて）
前記従動プーリ３３は、図１または図３に示すように、前記図柄ベルト３７を巻装し得る胴長の円筒状に形成されると共に、該従動プーリ３３にはその軸中心を貫通する軸孔３３ａが穿設される（図５参照）。そして、左側に位置する前記第１下ボス部２３の第１下支持孔２３ａに前記回転支軸２８を挿入した状態で、前記従動プーリ３３の軸孔３３ａに回転支軸２８を挿通させることで、該従動プーリ３３が回転可能に支持される。なお、前記従動プーリ３３は、その上下の端面から内側に向かって前記第１下ボス部２３または第１上ボス部２７ｂを収容し得る長さで凹設されて、該駆動プーリ３１を前記回転支軸２８で支持した際に、該従動プーリ３３の下端面が前記底面板２２ａに近接すると共に、上端面が前記上ケース体２７の上面板２７ａに近接するよう構成されている。また、前記従動プーリ３３の上下の端縁には、外方に向かって延出するフランジ部３３ｂが夫々形成されており、該従動プーリ３３の外周面に巻装した前記図柄ベルト３７の上下方向への移動を防止している。なお、前記駆動プーリ３１および従動プーリ３３は、略同径に設定されると共に、駆動モータ３５の径より小さい小型のものが使用される。
【００２３】
（駆動モータについて）
前記駆動プーリ３１を駆動する駆動モータ３５は、図３に示すように、前記底面板２２ａに形成した前記各突起部２５に配設固定される略コ字状の取付部材３８に、回転軸３５ａを下向きとした状態で取付けられる。すなわち、前記駆動モータ３５の回転軸３５ａの軸線上に、前記駆動プーリ３１の回転支軸２８の軸線が位置しないようになっている。更に、前記駆動モータ３５は、前記駆動プーリ３１と従動プーリ３３の外周に図柄ベルト３７を展張状態で巻装した際に、該図柄ベルト３７の周回領域の外側で、かつ該図柄ベルト３７に近接する位置に配設されている（図５参照）。また、前記回転軸３５ａの下端部に、所要の歯数とした第２歯車３６が一体回転可能に取付けられている。更に、前記取付部材３８の所要位置には、下方に向けて突出する固定部３８ａが形成されて、該固定部３８ａの下端部に第３歯車３９が回転可能に軸着されている。ここで、前記第３歯車３９は前記第１歯車３２および第２歯車３６の夫々と噛合するよう構成されて、前記駆動モータ３５の回転力は、これら第１〜第３歯車３２，３６，３９を介して前記駆動プーリ３１に伝達される。なお、実施例では、前記駆動モータ３５の回転速度を「１」とすると、駆動プーリ３１の回転速度が概ね「３」となるように、前記第１〜第３歯車３２，３６，３９の夫々の歯数を設定してある。
【００２４】
（図柄ベルトについて）
前記図柄ベルト３７は、その表面に図示しない複数種類の文字や図形等の各種図柄を所要間隔毎に表示した所要長のフィルムを、その長手方向の両端部を接着や溶着その他の手段で接合することで無端状に形成される。また、前記図柄ベルト３７の上端縁部近傍には、前記駆動プーリ３１および従動プーリ３３の外周に巻装した際に該駆動プーリ３１に設けた前記各突出部３１ｃと対応する位置に、該突出部３１ｃと係合可能な位置決め用孔部（係合孔）３７ａが、当該無端ベルトの全周に亘って所定間隔毎に穿設してある。すなわち、前記図柄ベルト３７を駆動プーリ３１および従動プーリ３３の外周に巻装した状態で駆動プーリ３１を回転させると、前記各突出部３１ｃと位置決め用孔部３７ａとが順次係合・分離することにより、該図柄ベルト３７が順送りされて確実に周回移動するようになっている。なお、前記図柄ベルト３７は、前記収容ケース２１の開口部２１ａに近接して周回移動し得るよう構成されている。
【００２５】
前記図柄ベルト３７の下端縁近傍には、各図柄に対応して位置検出用孔部３７ｂ，３７ｃが複数穿設されている。なお、基準となる図柄に対応して穿設されている前記位置検出用孔部は、他の孔部より左右方向（ベルトの走行方向）に長い長孔３７ｂ（以下、位置基準孔部と云う）に形成してある。
【００２６】
（位置検出手段について）
前記位置検出手段４８，４８は、前記基板４０における前記図柄ベルト３７の周回上に２基隣接して配設されている。そして前記各位置検出手段４８は、凹形に形成された本体部の対向位置に発光部と受光部とを備え、該発光部と受光部の間を前記図柄ベルト３７が周回移動するよう構成されている。なお、前記各発光部と受光部は、前記図柄ベルト３７の位置基準孔部３７ｂおよび位置検出用孔部３７ｃと整列し得るよう位置決めされる。すなわち、前記図柄ベルト３７が周回移動するに際し、前記位置基準孔部３７ｂが前記両位置検出手段４８，４８に到来して、両位置検出手段４８，４８の何れの受光部にも光が透過することにより基準となる図柄が検出されると共に、基準となる図柄を検出した後に、前記各位置検出用孔部３７ｃが両位置検出手段４８，４８に到来して、何れか一方の位置検出手段４８の受光部にのみ光が透過することにより対応する図柄が順次検出される。従って、前記収容ケース２１の開口部２１ａから、前記図柄ベルト３７における任意の図柄を表示することが可能である。
【００２７】
（テンションプーリについて）
前記テンションプーリ４５は、図３に示すように、前記底面板２２ａにおける第２下ボス部２４に挿入した揺動支軸２９に対して揺動可能に支持されたアーム４５ａに、支軸４６を介して回転自在に配設される。このアーム４５ａは、捻りスプリング４７により常には前側から後側（図５における反時計方向）に向けて付勢されており、前記テンションプーリ４５は該スプリング４７の付勢下に前記図柄ベルト３７の裏面に圧接している。これにより、前記図柄ベルト３７を常に適正な展張状態に保持しながら周回移動させ得るようになっている。また、前記アーム４５ａの下部には、前記基板４０の挿通孔４０ｂに挿通可能な規制片４５ｂが形成されている。そして、この規制片４５ｂが挿通孔４０ｂの端部に当接することにより、前記テンションプーリ４５の揺動が規制されて、前記図柄ベルト３７を必要以上に展張させないよう構成されている。なお、図柄ベルト３７は、前記テンションプーリ４５を支持するアーム４５ａを、前記捻りスプリング４７の付勢力に抗して姿勢変位させることで（図５の時計方向へ揺動させることで）、展張状態が解除されて手早く着脱交換可能となっている。
【００２８】
（照明装置について）
前記照明装置４１は、図５示すように、前記基板４０において図柄ベルト３７の周回領域内に配設されて、該ベルト３７を内側から照明するよう構成される。この照明装置４１は、前記図柄ベルト３７の裏面に対して略平行に対向するリフレクタ部材４３と、該リフレクタ部材４３の前側下端縁に沿って配設される複数のＬＥＤ（発光体）４２とから構成されている。なお、前記各ＬＥＤ４２は、前記図柄ベルト３７と略平行方向（駆動プーリ３１の軸方向）で上方に向かって光を主として照射するよう配設される。
【００２９】
前記リフレクタ部材４３は、前記図柄ベルト３７と対向する矩形平板状の反射面４３ａと、該反射面４３ａの上端縁から該図柄ベルト３７側（前側）に延出する上壁部４３ｂ、および左右の両端縁から該図柄ベルト３７側（前側）に延出する左右の側壁部４３ｃ，４３ｃとから、前側に開口する箱枠状に形成される。なお、前記両側壁部４３ｃ，４３ｃにおける下部位置を連結する所要幅の連結部材４３ｄが形成されており、前記各ＬＥＤ４２から前側に向けて照射される光を連結部材４３ｄにより遮ることで、前記図柄ベルト３７が直接照射されないよう構成してある。また、前記各壁部４３ｂ，４３ｃ，４３ｃは、前記反射面４３ａの対応する端縁から前側に向かうにつれて外側に傾斜するテーパ状に形成してある。更に、前記反射面４３ａにおける後側下方位置に、固定凹部４４，４４が左右方向に離間して形成され、前記基板４０の通孔４０ａを通出して上方に突出する前記各突部２６ｂ，２６ｂに該固定凹部４４，４４が係脱可能に嵌合している。
【００３０】
【実施例の作用】
次に、本実施例に係る遊技機用のベルト式図柄表示装置の作用につき説明する。前記収容ケース２１内に回転可能に配設した前記駆動プーリ３１および従動プーリ３３の外周に、前記図柄ベルト３７を巻装すると共に、該図柄ベルト３７の裏面から前記テンションプーリ４５を圧接して、当該図柄ベルト３７を適正な展張状態に保持する。このとき、前記駆動モータ３５は、前記図柄ベルト３７の周回領域の外側に位置している。従って、前記図柄ベルト３７の周長は、少なくとも前記駆動プーリ３１および従動プーリ３３の外周に巻装し得る長さとすればよい。すなわち、小型の駆動プーリ３１および従動プーリ３３を使用することで、少数の図柄を表示した周長の短い図柄ベルト３７を用いることができ、前記ベルト式図柄表示装置２０により補助的な遊技演出が可能となる。また、前記図柄ベルト３７の周回領域の外側に配置した前記駆動モータ３５の回転軸３５ａの軸線と、前記駆動プーリ３１の回転支軸２８の軸線とを互いに相違させ、かつ該駆動モータ３５を駆動プーリ３１の後方側に近接して配設してあるので、前記収容ケース２１が大型化することはない。このように、前記駆動モータ３５を前記図柄ベルト３７の周回領域の外側に位置させることで、該図柄ベルト３７の周回領域を小さくすることができると共に、前記ベルト式図柄表示装置２０を小型化することが可能となる。このため、スペース的に制限を受けるパチンコ機Ｐに、前記ベルト式図柄表示装置２０を補助遊技装置として好適に配設し得る。
【００３１】
また、前記駆動モータ３５として回転速度の低いものを使用すると、該駆動モータ３５の駆動制御を正確に行ない得る利点がある。しかし、前記駆動モータ３５の回転速度を低くすると図柄ベルト３７の移動速度の低下をも招くことになり、遊技の演出態様が制限される畏れがある。そこで実施例では、前記駆動モータ３５と駆動プーリ３１とを、第１〜第３歯車３２，３６，３９を介して連結することで、該駆動プーリ３１を駆動モータ３５より高速で回転させ得るようにしたので、回転速度の低い駆動モータ３５を使用した場合でも図柄ベルト３７を所要の速度で周回移動させることができる。従って、前記ベルト式図柄表示装置２０により、多彩な遊技演出を行なうことが可能となる。
【００３２】
更に、前記駆動モータ３５を駆動して前記駆動プーリ３１を回転させた際に、該駆動プーリ３１に形成した突出部３１ｃと前記図柄ベルト３７に形成した位置決め用孔部３７ａとが順次係合することで、該図柄ベルト３７が上下方向に位置ズレすることなく周回移動するようになっている。従って、前記図柄ベルト３７の周回移動に際し、該図柄ベルト３７の下端縁が、前記駆動プーリ３１のフランジ部３１ｂに当接して折れ曲がったり削れたりすることはない。更に、前記図柄ベルト３７に内側から外側に向かってテンションプーリ４５を圧接させて図柄ベルト３７の展張状態を保つようにしたので、該図柄ベルト３７が弛むことはなく、前記突出部３１ｃと位置決め用孔部３７ａとは確実に係合する。このため、該駆動プーリ３１の外周面で図柄ベルト３７が横滑りすることなく、安定かつ確実に該図柄ベルト３７を周回移動させることができる。また、図柄ベルト３７の周回移動に際して、前記駆動プーリ３１および従動プーリ３３における上下の端縁に夫々形成されたフランジ部３１ｂ，３３ｂにより、該図柄ベルト３７の上下方向の移動は防止される。すなわち、常に所定の周回領域を保った状態で、前記図柄ベルト３７を周回移動させ得る。
【００３３】
前記図柄ベルト３７を周回移動させた際に、該図柄ベルト３７の下端縁近傍に形成した位置基準孔部３７ｂが、前記両位置検出手段４８，４８の発光部と受光部の間を通過すると、該図柄ベルト３７の基準となる図柄が認識される。そして、この位置基準孔部３７ｂを基点として、前記一方の位置検出手段４８により図柄ベルト３７の下端縁近傍に形成した位置検出用孔部３７ｃを順次検出することで、対応する図柄の位置を認識できる。このため、前記収容ケース２１の開口部２１ａに、所定の図柄を停止表示させることができる。なお、前記位置決め用孔部３７ａは前記図柄ベルト３７の上端部近傍に形成してあるので、該位置決め用孔部３７ａが前記位置検出手段４８，４８により誤検出されることはない。
【００３４】
更に、前記図柄ベルト３７の裏面に、略平行にリフレクタ部材４３の反射面４３ａを対向させると共に、該図柄ベルト３７とリフレクタ部材４３との間に複数のＬＥＤ４２を配設して、該ＬＥＤ４２から照射された光を受けて該反射面４３ａが面反射するようにしたので、照明装置４１の前後方向の寸法が小さくなる。従って、前記図柄ベルト３７の周回領域内に配設した前記リフレクタ部材４３により、該図柄ベルト３７の周回領域が大きくなることはないので、前記ベルト式図柄表示装置２０を更に小型化することが可能となっている。また、前記リフレクタ部材４３の反射面４３ａは、前記各ＬＥＤ４２からの光を受けて面反射するので、図柄全体を均一の明るさで明輝表示することが可能である。なお、前記反射面４３ａの外周縁から図柄ベルト３７に向かって上壁部４３ｂおよび左右の側壁部４３ｃ，４３ｃを形成することにより、前記照明装置４１からの光が周囲に拡散することなく図柄を充分な光量で的確に照明し得るので、照明による演出効果を向上させ得る。そして、前記上壁部４３ｂおよび左右の側壁部４３ｃ，４３ｃを、前記反射面４３ａとの連接部位から前記図柄ベルト３７に向かうにつれて外側に傾斜するテーパ状に形成してあるので、前記ＬＥＤ４２から照射された光を、図柄ベルト３７方向に効率的に反射することができる。
【００３５】
また、前記リフレクタ部材４３における左右の側壁部４３ｃ，４３ｃの下部位置を、連結部材で連結してＬＥＤ４２の図柄ベルト３７側を覆い、該ＬＥＤ４２からの光により図柄を直接照明しないようにしたので、図柄の照明斑が生ずる畏れはなく、均一な輝度で照明演出することが可能となる。
【００３６】
更にまた、前記駆動プーリ３１および従動プーリ３３を回転可能に支持する回転支軸２８，２８の夫々を、前記下ケース体２２および上ケース体２７により挟み込むことで、収容ケース２１内に立設されるように構成してある。このため、ネジ等を使用することなく前記駆動モータ３１および駆動プーリ３３の夫々を収容ケース２１に回転可能に配設することができるので、組付け作業の簡素化を図ると共に、コストの低減を図り得る。同様に、前記テンションプーリ４５を揺動可能に支持する揺動支軸２９も、前記下ケース体２２および上ケース体２７を連結することで収容ケース２１内に立設するよう構成したので、組付け作業を簡単にできる。
【００３７】
なお、前記下ケース体２２および上ケース体２７を挟み込んだ際に前記挿通孔３０を形成するよう構成し、前記基板４０における該挿通孔３０を介して前記収容ケース２１の外方に突出する部位に前記コネクタ部４０ｃを設けてあるので、前記ベルト式図柄表示装置２０と該装置２０の制御装置とを簡単に接続し得る。
【００３８】
実施例では、駆動モータの回転軸と駆動プーリの回転軸とが平行となるよう構成したが、これに限られず、歯車を介することで両部材を所要の位置関係（例えば、両回転軸が直交する位置関係）とすることもできる。また、前記駆動モータと駆動プーリとを３つの歯車を介して連繋するようにしたが、２つまたは４つ以上の歯車を用いることもできる。更に、駆動モータと駆動プーリとの回転速度の比としては、実施例のものに限らず、所要に応じて設定すればよい。更にまた、駆動モータと駆動プーリとを連繋させる手段としては、歯車に限らず、ベルト等で両部材を連繋するようにしてもよい。なお、ベルト式図柄表示装置をパチンコ遊技における補助的な遊技装置として使用する場合を例示したが、これに限られるものではなく、当該表示装置をスロットマシン機等にも好適に使用することができる。
【００３９】
【発明の効果】
以上に説明したように、本発明に係る遊技機用のベルト式図柄表示装置によれば、基体に回転可能に配設した駆動回転体および従動回転体の外周に巻装した無端ベルトの周回領域より外方に位置するように、該駆動回転体の回転および停止を行なう駆動モータを基体に配設するようにしたので、該無端ベルトの周回領域を小さくすると共に周長を短くすることができる。すなわち、無端ベルトを用いた図柄表示装置を無端ベルトに少数の図柄を表示した該装置を補助的な遊技演出に好適に使用することが可能となる。
【００４０】
また、無端ベルトの内側から照明する照明装置を、該無端ベルトの裏面に対して略平行に対向する反射面を備える薄板状のリフレクタ部材と、無端ベルトと反射面との間に配設される発光体とから構成することで、該照明装置が前後方向に大きくなることはない。従って、前記無端ベルトの周回領域を小さくして周長をより短くできるので、該無端ベルトに少数の図柄を表示する補助的な遊技演出に好適に使用することが可能となる。また、駆動回転体に設けた複数の突出部と、前記無端ベルトに設けた複数の係合孔を順次係合・分離させることにより、小径の駆動回転体を使用した場合でも該無端ベルトを確実に周回移動させ得る。
【図面の簡単な説明】
【図１】本発明の実施例に係るベルト式図柄表示装置の上ケース体および図柄ベルトを取外した状態を示す斜視図である。
【図２】実施例に係るパチンコ機を示す正面図である。
【図３】実施例に係るベルト式図柄表示装置を分解した状態で示す斜視図である。
【図４】実施例に係るベルト式図柄表示装置を組付けた状態で示す斜視図である。
【図５】実施例に係るベルト式図柄表示装置の上ケース体を取外した状態を示す平面図である。
【図６】実施例に係る収容ケースを後側から見た状態を示す斜視図である。
【図７】従来の技術に係るベルト式図柄表示装置を示す側断面図である。
【符号の説明】
２１　収容ケース（基体）
３１　駆動プーリ（駆動回転体）
３１ｃ　突出部
３３　従動プーリ（従動回転体）
３５　駆動モータ
３７　図柄ベルト（無端ベルト）
３７ａ　位置決め用孔部（係合部）
４１　照明装置
４２　ＬＥＤ（発光体）
４３　リフレクタ部材
【図１】
2004033633.tif 000003
【図２】
2004033633.tif 000004
【図３】
2004033633.tif 000005
【図４】
2004033633.tif 000006
【図５】
2004033633.tif 000007
【図６】
2004033633.tif 000008
【図７】
2004033633.tif 000009